(57)【要約】【課題】方立に水平応力が加えられることにより、近接する上下階のベランダ間に接合する方立の上下端に発生する曲げモーメントを僅少に抑えて、部材の変形や破損を生じさせないようにしたベランダ手摺支持装置を提供することにある。【解決手段】近接する上下階のベランダにおける各立上がり壁の先端縦面間に固定縁５が固定されたＬ字状金具４の当接縁８には締着ボルト挿通溝孔１０が穿設されると共に方立１に当接する面の反対面には縦方向の凹凸溝面１１が形成され、係着座金１２には締着ボルト挿通孔１３が穿設されると共に内面には当接縁の凹凸溝面に係合する対応凹凸溝面１４が形成され、一組のみの締着ボルト９を締着した場合に、ベランダと方立との水平方向の間隔は維持されると共に締着ボルトを軸心とする方立の回転は許容されるものである。【選択図】図４
2006152704.tif 000002
【特許請求の範囲】
【請求項１】
近接する上下階のベランダにおける各立上がり壁の先端縦面間にそれぞれ接合する方立にベランダ手摺が取付けられるベランダ手摺支持装置において、該方立の両横側面を単一軸上の締着螺桿により締着される一対のＬ字状金具は、その各一突縁が該立上がり壁の該先端縦面に固定される固定縁とされると共にその各他突縁が該方立の各横側面に当接する当接縁とされ、該当接縁には該締着螺桿を挿通するための前後方向に延びる螺桿挿通溝孔が穿設されると共に該当接縁の該方立に当接する面の反対面には縦方向の凹凸溝面が形成され、該Ｌ字状金具の該当接縁に該締着螺桿の締付けによって密着される一対の係着座金には該締着螺桿を挿通する螺桿挿通孔が穿設されると共に内面には該当接縁の該凹凸溝面に係合する対応凹凸溝面が形成され、該立上がり壁の該先端縦面に固定された該Ｌ字状金具に対する間隔を設定した状態で該凹凸溝面と該対応凹凸溝面とを係着させて一組のみの該締着螺桿を該方立の所定横側面位置に締着した場合に、該立上がり壁と該方立との間隔は維持されると共に該締着螺桿を軸心とする該方立の回転は許容されることを特徴とするベランダ手摺支持装置。
【請求項２】
近接する上下階のベランダにおける各立上がり壁の先端縦面間にそれぞれ接合する方立にベランダ手摺が取付けられるベランダ手摺支持装置において、該方立は、両横側面に単一軸上の締着ボルトのボルト頭を抜出し不可に嵌合する対向突縁付き凹溝が縦設された横断面略方形をなし、該ベランダにおける立上がり壁の該先端縦面にその各一突縁を固定縁として固定される一対のＬ字状金具は、その各他突縁を該方立の各横側面に当接される当接縁とされ、該当接縁には前後方向に延びる締着ボルト挿通溝孔が穿設されると共に該当接縁の該方立に当接する面の反対面には縦方向の凹凸溝面が形成され、該Ｌ字状金具の該当接縁に該締着ボルトのボルト接合により密着される一対の係着座金には該締着ボルトを挿通する締着ボルト挿通孔が穿設されると共に内面には該当接縁の該凹凸溝面に係合する対応凹凸溝面が形成され、該立上がり壁の該先端縦面に固定された該Ｌ字状金具に対する間隔を設定した状態で該凹凸溝面と該対応凹凸溝面とを係着させて一組のみの該締着ボルトを該方立の所定横側面位置にボルト接合した場合に、該立上がり壁と該方立との間隔は維持されると共に該締着ボルトを軸心とする該方立の回転は許容されることを特徴とするベランダ手摺支持装置。
【請求項３】
前記上下階のベランダにおける立上がり壁の先端縦面に間隔をおいて前記方立が列設され、各該方立には複数の後向きブラケットが止着され、該立上がり壁上に位置する手摺構成材が各該後向きブラケットに接合されて支持されるベランダ手摺支持装置において、該方立の両横側面に縦設された前記対向突縁付き凹溝には止着ボルトがボルト頭を抜出し不可に嵌合され、該後向きブラケットは、長さ調節手段を有し、該方立に対して該後向きブラケットの高さ位置を確定して該止着ボルトにより該方立と該後向きブラケットの前部がボルト接合されると共に、該長さ調節手段により該後向きブラケットによって該方立と前記手摺構成材との前後方向位置を確定して該後向きブラケットの後部が該手摺構成材に接合されることを特徴とする請求項２記載のベランダ手摺支持装置。
【請求項４】
前記後向きブラケットは、前記方立の両横側面に当接すると共に前記止着ボルトを挿通する止着ボルト挿通孔を備えた両フランジと該両フランジの後方を略水平に連結する水平ウェブとを有する主片と、一端が該主片に連結されると共に他端には前記手摺構成材における横架材への接合手段を備えた補助片とよりなり、該主片の該水平ウェブと該補助片の一端とのいずれか一方には前後方向に延びる接続ボルト挿通溝孔が穿設されると共に他方には接続ボルト挿通孔が穿設され、該後向きブラケットの該主片と該補助片を重ね合せると共に該接続ボルト挿通溝孔と該接続ボルト挿通孔に接続ボルトを挿通してボルト接合することにより該方立と該手摺構成材との前後方向位置を確定することを特徴とする請求項３記載のベランダ手摺支持装置。
【請求項５】
前記横架材には、該手摺構成材の笠木のみを支持する笠木支持横架材が含まれることを特徴とする請求項４記載のベランダ手摺支持装置。
【発明の詳細な説明】
【技術分野】
【０００１】
本発明は、集合住宅等のベランダに設置されるベランダ手摺の支持装置、特に改修時に設置されるベランダ手摺支持装置に関する。
【背景技術】
【０００２】
集合住宅等の老朽化したベランダ手摺の改修には、上下階に達する方立を上下階の各ベランダ立上がり壁の外面に外付けする方法が従来採用されている（例えば、特許文献１参照。）。この従来技術では、図１０及び図１１に示されるように、躯体ＡにＬ字枠取付ボルトＢで取付けられるＬ型枠Ｃにはその内面に凹凸溝が形成され、一方方立である取付体Ｄの上下端部には両側片外面に凹凸溝を形成したコ字型枠Ｅが密嵌され、前後方向を設定してＬ型枠Ｃと取付体Ｄとコ字型枠Ｅとを貫通する取付体ボルトＦをボルト接合により締付けて取付体Ｄを立設したものである。しかしこのような外付け技術では、取付体Ｄの端部は、取付体Ｄに密嵌されたコ字型枠Ｅの凹凸溝がＬ型枠Ｃの凹凸溝に噛みあって締付けられているから、取付体ＤとＬ型枠Ｃとは剛接状態で一体化されており、手摺に（取付体Ｄの中間部に）水平応力が加えられた場合に、取付体Ｄの材端及びＬ型枠Ｃには大きい曲げモーメントが発生し、Ｌ字枠取付ボルトＢには、水平応力に伴う軸方向力と共に、曲げモーメントによってＬ型枠Ｃの脚片がＬ字枠取付ボルトＢに対して釘抜きのように作用して別途の引抜き力が加わることになり、Ｌ字枠取付ボルトＢの引抜き破壊、Ｌ型枠Ｃの変形、取付体ＤとＬ型枠Ｃとの接合部の破壊等を引き起す原因となっている。
【０００３】
【特許文献１】特許第２９８１９８２号公報
【発明の開示】
【発明が解決しようとする課題】
【０００４】
本発明が解決しようとする問題点は、従来の外付け方立を有するベランダ手摺が引き起す欠点を改良し、方立に水平応力が加えられることにより、近接する上下階のベランダ間に接合する方立の上下端に発生する曲げモーメントを僅少に抑えて、部材の変形や破損を生じさせることがなく、且つベランダにおける各立上がり壁の先端縦面と方立の間隔を適切な位置に設定できると共に設定した前記間隔を永続的に維持して接合することができるベランダ手摺支持装置を提供することにある。
【課題を解決するための手段】
【０００５】
前記課題を解決するために、本発明にかかるベランダ手摺支持装置では、近接する上下階のベランダにおける各立上がり壁の先端縦面間にそれぞれ接合する方立にベランダ手摺が取付けられるベランダ手摺支持装置において、該方立の両横側面を単一軸上の締着螺桿により締着される一対のＬ字状金具は、その各一突縁が該立上がり壁の該先端縦面に固定される固定縁とされると共にその各他突縁が該方立の各横側面に当接する当接縁とされ、該当接縁には該締着螺桿を挿通するための前後方向に延びる螺桿挿通溝孔が穿設されると共に該当接縁の該方立に当接する面の反対面には縦方向の凹凸溝面が形成され、該Ｌ字状金具の該当接縁に該締着螺桿の締付けによって密着される一対の係着座金には該締着螺桿を挿通する螺桿挿通孔が穿設されると共に内面には該当接縁の該凹凸溝面に係合する対応凹凸溝面が形成され、該立上がり壁の該先端縦面に固定された該Ｌ字状金具に対する間隔を設定した状態で該凹凸溝面と該対応凹凸溝面とを係着させて一組のみの該締着螺桿を該方立の所定横側面位置に締着した場合に、該立上がり壁と該方立との間隔は維持されると共に該締着螺桿を軸心とする該方立の回転は許容されるようにしたものである。
【発明の効果】
【０００６】
本発明は、次のような効果を奏する。
Ａ．立上がり壁と方立との間隔は維持されると共に締着螺桿を軸心とする方立の回転は許容されるから、方立に水平応力が加えられた場合に、方立が水平方向にずれる危惧を払拭することができると共に、方立の材端に発生する曲げモーメントは僅少であり、曲げモーメントによるＬ字状金具自体、Ｌ字状金具のベランダへの固定手段、方立のＬ字状金具との接合部における塑性変形や破壊を防止することができる。
Ｂ．上下階のベランダにおける立上がり壁の先端縦面に間隔をおいて方立が列設され、各方立には複数の後向きブラケットが止着され、立上がり壁上に位置する手摺構成材が各後向きブラケットに接合されて支持される場合には、改修工事はベランダにおける立上がり壁上面に旧手摺が設置された状態で、方立を立上がり壁の先端縦面に設置させ、その後旧手摺を取除いた状態で、簡単で短時間しか必要としない手摺構成材取付作業を行うことになるので、手摺が存在しない時間を最小限にすることが可能となり、居住者の居住中に工事を行っても、安全に工事を行うことができる。
Ｃ．同様に上下階のベランダにおける立上がり壁の先端縦面に間隔をおいて方立が列設され、各方立には複数の後向きブラケットが止着され、立上がり壁上に位置する手摺構成材が各後向きブラケットに接合されて支持される場合には、手摺構成材を上下方向且つ前後左右方向調節自在に後向きブラケットによって方立に取付けることができるから、ベランダにおける立上がり壁先端縦面への方立設置位置の選択範囲を広範とすることが可能な上に、設置位置の誤差範囲を広く取ることが可能であるから、改修の際に困難である方立の立上がり壁への設置作業を比較的に容易に行うことができ、また安価な既成品の手摺構成材を幅広く採用することが可能である。
Ｄ．方立を、両横側面に締着ボルトや止着ボルトのボルト頭を抜出し不可に嵌合する対向突縁付き凹溝が縦設された横断面略方形をなすものとすると、締着ボルトや止着ボルトの方立への取付のためのボルト孔を一々穿孔する必要がなく施工を容易にすると共に、Ｌ字状金具に対する高さ位置や後向きブラケットの高さ位置を微細に調節設定することができる。
Ｅ．同様に上下階のベランダにおける立上がり壁の先端縦面に間隔をおいて方立が列設され、各方立には複数の後向きブラケットが止着され、立上がり壁上に位置する手摺構成材が各後向きブラケットに接合されて支持されるときには、手摺構成材の使用後の破損等による手摺構成材の交換は、ブラケット箇所から手摺構成材を取外しまた取付けることによって容易に行うことができる。
【発明を実施するための最良の形態】
【０００７】
本発明にかかるベランダ支持装置は、近接する上下階のベランダにおける各立上がり壁の先端縦面間にそれぞれ接合する方立にベランダ手摺が取付けられるベランダ手摺支持装置において、該方立の両横側面を単一軸上の締着螺桿により締着される一対のＬ字状金具は、その各一突縁が該立上がり壁の該先端縦面に固定される固定縁とされると共にその各他突縁が該方立の各横側面に当接する当接縁とされ、該当接縁には該締着螺桿を挿通するための前後方向に延びる螺桿挿通溝孔が穿設されると共に該当接縁の該方立に当接する面の反対面には縦方向の凹凸溝面が形成され、該Ｌ字状金具の該当接縁に該締着螺桿の締付けによって密着される一対の係着座金には該締着螺桿を挿通する螺桿挿通孔が穿設されると共に内面には該当接縁の該凹凸溝面に係合する対応凹凸溝面が形成され、該立上がり壁の該先端縦面に固定された該Ｌ字状金具に対する間隔を設定した状態で該凹凸溝面と該対応凹凸溝面とを係着させて一組のみの該締着螺桿を該方立の所定横側面位置に締着した場合に、該立上がり壁と該方立との間隔は維持されると共に該締着螺桿を軸心とする該方立の回転は許容されることを主な特徴とする。
【０００８】
またより具体的なベランダ手摺支持装置の態様として、近接する上下階のベランダにおける各立上がり壁の先端縦面間にそれぞれ接合する方立にベランダ手摺が取付けられるベランダ手摺支持装置において、該方立は、両横側面に単一軸上の締着ボルトのボルト頭を抜出し不可に嵌合する対向突縁付き凹溝が縦設された横断面略方形をなし、該ベランダにおける立上がり壁の該先端縦面にその各一突縁を固定縁として固定される一対のＬ字状金具は、その各他突縁を該方立の各横側面に当接される当接縁とされ、該当接縁には前後方向に延びる締着ボルト挿通溝孔が穿設されると共に該当接縁の該方立に当接する面の反対面には縦方向の凹凸溝面が形成され、該Ｌ字状金具の該当接縁に該締着ボルトのボルト接合により密着される一対の係着座金には該締着ボルトを挿通する締着ボルト挿通孔が穿設されると共に内面には該当接縁の該凹凸溝面に係合する対応凹凸溝面が形成され、該立上がり壁の該先端縦面に固定された該Ｌ字状金具に対する間隔を設定した状態で該凹凸溝面と該対応凹凸溝面とを係着させて一組のみの該締着ボルトを該方立の所定横側面位置にボルト接合した場合に、該立上がり壁と該方立との間隔は維持されると共に該締着ボルトを軸心とする該方立の回転は許容されることを特徴とする。
【０００９】
さらに方立が手摺構成材を支持する態様として、前記上下階のベランダにおける立上がり壁の先端縦面に間隔をおいて前記方立が列設され、各該方立には複数の後向きブラケットが止着され、該立上がり壁上に位置する手摺構成材が各該後向きブラケットに接合されて支持されるベランダ手摺支持装置において、該方立の両横側面に縦設された前記対向突縁付き凹溝には止着ボルトがボルト頭を抜出し不可に嵌合され、該後向きブラケットは、長さ調節手段を有し、該方立に対して該後向きブラケットの高さ位置を確定して該止着ボルトにより該方立と該後向きブラケットの前部がボルト接合されると共に、該長さ調節手段により該後向きブラケットによって該方立と前記手摺構成材との前後方向位置を確定して該後向きブラケットの後部が該手摺構成材に接合されることを特徴とする。
【００１０】
また前記後向きブラケットについて、前記後向きブラケットは、前記方立の両横側面に当接すると共に前記止着ボルトを挿通する止着ボルト挿通孔を備えた両フランジと該両フランジの後方を略水平に連結する水平ウェブとを有する主片と、一端が該主片に連結されると共に他端には前記手摺構成材における横架材への接合手段を備えた補助片とよりなり、該主片の該水平ウェブと該補助片の一端とのいずれか一方には前後方向に延びる接続ボルト挿通溝孔が穿設されると共に他方には接続ボルト挿通孔が穿設され、該後向きブラケットの該主片と該補助片を重ね合せると共に該接続ボルト挿通溝孔と該接続ボルト挿通孔に接続ボルトを挿通してボルト接合することにより該方立と該手摺構成材との前後方向位置を確定することを特徴とする。
【００１１】
また前記横架材には、該手摺構成材の笠木のみを支持する笠木支持横架材が含まれることを特徴とする。
【実施例】
【００１２】
本発明の実施例について添付図面を参照して説明する。
図１乃至図３には改修後のベランダ手摺が示されている。集合住宅等のベランダＶの前端には立上がり壁Ｒが立設されており、符号Ｕは立上がり壁Ｒの上面を、また符号Ｗは立上がり壁Ｒの先端縦面を示している。図中符号１は手摺構成材２を支持する方立を示す。通常手摺とは、支持柱と支持柱に支持される格子やパネルを内包する枠とを含むものであるが、本発明において手摺構成材２とは、支持柱である方立１や補助的な支柱を含まず、格子やパネルを内包する方立や補助的な支柱に支持される枠や横架材等を意味する。この実施例における方立１は、図３乃至図５等に示されるように、両横側面にボルト頭を抜出し不可に嵌合することができる対向突縁付き凹溝３，３が縦設された横断面略方形をなすアルミニウム等の金属製型材で形成されている。
【００１３】
方立１は、図１、図２、図３に示されるように、近接する上下階のベランダＶ，Ｖにおける各立上がり壁Ｒ，Ｒの先端縦面Ｗ，Ｗ間にそれぞれ接合され、立上がり壁Ｒに添って所定間隔で列設される。方立１の設置には、まず立上がり壁Ｒの先端縦面Ｗに対して一対のＬ字状金具４，４の各一突縁である固定縁５をアンカー挿通溝孔６に挿通したアンカーボルト７のボルト接合により固定されるが、その各他突縁であるそれぞれの当接縁８が方立１の両横側面に当接されるように配置固定される。当接縁８には、締着螺桿である締着ボルト９を挿通する前後方向に延びる螺桿挿通溝孔である締着ボルト挿通溝孔１０が穿設されると共に当接縁８の方立１の当接する面の反対面には縦方向の凹凸溝面１１が形成されており、またこのＬ字状金具４の当接縁８に重ね合わされる係着座金１２には締着ボルト９を挿通する螺桿挿通孔である締着ボルト挿通孔１３が穿設されると共に内面には当接縁８の凹凸溝面１１に係合する対応凹凸溝面１４が形成されている。そして方立１は立上がり壁Ｒの先端縦面Ｗからの間隔を設定した後に、方立１の対向突縁付き凹溝３にそのボルト頭が嵌合された左右一組のみの各締着ボルト９について、Ｌ字状金具４における当接縁８の締着ボルト挿通溝孔１０および係着座金１２の締着ボルト挿通孔１３を挿通させて締着ボルト用ナット１５を締付けることによりボルト接合すれば、当接縁８の凹凸溝面１１と係着座金１２の対応凹凸溝面１４とが噛み合うことにより、方立１は立上がり壁Ｒの先端縦面Ｗからの距離を固定した状態で維持されると共に、締着ボルト９を軸心とする方立１の回転は許容されることになる。なお符号１ａは手摺構成材２を各方立１の間で支持するために下部を先端縦面Ｗに剛接された支柱である。
【００１４】
このような方立１の設置作業は、図２及び図４に明示されるように、近接する上下階のベランダＶ，Ｖにおける各立上がり壁Ｒ，Ｒの各先端縦面Ｗ，Ｗで行われるから、方立１はその両端がピン接合された部材となる。したがって各立上がり壁Ｒ，Ｒと方立１との間隔は維持されると共に締着ボルト９を軸心とする方立１の回転は許容されるから、方立１に取付けられた手摺構成材２に前後の水平応力が加えられた場合に、方立１が水平方向にずれる危惧を払拭することができると共に、方立１の材端に発生する曲げモーメントは僅少となるから、剛接合で発生しがちな曲げモーメントによるＬ字状金具４自体、Ｌ字状金具４のベランダＶへの固定手段であるアンカーボルト７、方立１のＬ字状金具４との接合部における塑性変形や破壊を防止することができる。なお３階以上の建物における中間階に設置されるＬ字状金具４は、その上階に設置される方立１の下端とその下階に設置される方立１の上端を接合するために、当接縁８に上下２個の締着ボルト挿通溝孔１０が穿設されている。
【００１５】
立上がり壁Ｒの先端縦面Ｗに設置された複数の各方立１の上方には、図１、図２、図５に示されるように、立上がり壁Ｒの上面Ｕ上に位置して手摺構成材２を支持する後向きブラケット１６が取付けられる。後向きブラケット１６は、方立１の両横側面に当接すると共に方立１の対向突縁付き凹溝３にそのボルト頭が嵌合された各止着ボルト１７を挿通する止着ボルト挿通孔１８を備えた両フランジ１９と両フランジ１９の後方を略水平に連結すると共に前後方向に延びる接続ボルト挿通溝孔２０を備えた水平ウェブ２１とを有する主片１６ａと、一端には接続ボルト挿通孔２２を備えて主片１６ａの接続ボルト挿通溝孔２０を通じて接続ボルト２３によりボルト接合されると共に他端には手摺構成材２における横架材を接合する接合手段の舌片２５を備えた補助片１６ｂとよりなり、図５に詳細が示されるように、接合手段の舌片２５に手摺構成材２の横架材を固定する補助片１６ｂを主片１６ａの位置に配設し、主片１６ａに対して手摺構成材２の前後方向位置を確定した上で補助片１６ｂの接続ボルト挿通孔２２と主片１６ａの接続ボルト挿通溝孔２０を通じて接続ボルト２３にナットを締付けることによってボルト接合を行う。なお主片１６ａに対して手摺構成材２の前後方向位置を確定する作業は、後向きブラケット１６に手摺構成材２を取付けた後に行うことが可能である。そして上方の横架材に対しては水平ウェブ２１を上側に向けて、また下方の横架材に対しては水平ウェブ２１を下側に向けて方立１に両フランジ１９を当接し、方立１に対して主片１６ａの高さ位置を確定した上で方立１の対向突縁付き凹溝３にそのボルト頭が嵌合された止着ボルト１７について、主片１６ａにおける止着ボルト挿通孔１８を挿通させて止着ボルト用ナット２６を締付けることによりボルト接合をする。なお接続ボルト挿通孔２２を主片１６ａに形成し、接続ボルト挿通溝孔２０を補助片１６ｂに形成する態様も存在する。
【００１６】
その後で補助片１６ｂの接合手段に手摺構成材２における横架材が接合される。接合は一般的な方法で行われるが横架材のいくつかの例を図６乃至図９に示す。図６では、補助片１６ｂに取付けられた手摺構成材２における横架材が、笠木２７を取付けた上側横架材２４ａである状態を示されている。上側横架材２４ａには縦桟材２８の上端も取付けられている。図７は、補助片１６ｂに取付けられた手摺構成材２における横架材が、縦桟材２８の下端を支持する補助横材を含む下側横架材２４ｂであることを示している。また図８は、笠木２７が取付けられると共にパネル２９の枠を含む上側横架材２４ａが補助片１６ｂに接合されている状態を示している。さらに図９では、手摺のパネル２９の枠を支持する補助横材を含む上側横架材２４ａには笠木２７が取付けられておらず、別体の後向きブラケット１６が笠木２７を取付けた笠木支持横架材２４ｃを支持する状態が示されている。このように後向きブラケット１６には、各種の手摺構成材２に対応することが可能である。また後向きブラケット１６について、主片１６ａと補助片１６ｂとを連結した後向きブラケット１６全体を予め方立１に取付けておく場合や、予め主片１６ａのみを方立１に取付けておいて後から手摺構成材２を接合した補助片１６ｂを連結する場合がある。
【００１７】
本発明によれば、改修される手摺構成材２を支持する方立１はベランダＶにおける立上がり壁Ｒの先端縦面Ｗに設置されるのに拘らず、笠木２７を含む手摺構成材２は改修前に既設の手摺が位置していた立上がり壁Ｒの上面Ｕに位置するため、ベランダＶを使用する居住者に実質的な安全性と安心感を与えることができる。また改修工事は、ベランダＶにおける立上がり壁Ｒの上面Ｕに既設の手摺が設置された状態で、改修される方立１を立上がり壁Ｒの先端縦面Ｗに設置させ、その後既設の手摺を取除いた状態で、簡単で短時間しか必要としない手摺構成材２の取付作業を行うことになるので、手摺が存在しない工事時間を最小限にすることが可能となり、居住者の居住中に工事を行っても、安全に施工することができる。さらに手摺構成材２を上下方向且つ前後左右方向調節自在に後向きブラケット１６によって方立１に取付けることができるから、ベランダＶにおける立上がり壁Ｒの先端縦面Ｗへの方立設置位置の選択範囲を広範とすることが可能な上に、設置位置の誤差範囲を広く取ることが可能であるから、改修の際に最も困難である方立１の立上がり壁Ｒへの設置作業を容易に行うことができ、また安価な既成品の手摺構成材２を幅広く採用することが可能である。また方立１を、両横側面に締着ボルト９や止着ボルト１７のボルト頭を抜出し不可に嵌合する対向突縁付き凹溝３が縦設された横断面略方形をなすものとすると、締着ボルト９や止着ボルト１７の方立１への取付のためのボルト孔を一々穿孔する必要がなく施工を容易にすると共に、Ｌ字状金具４に対する高さ位置や後向きブラケット１６の高さ位置を微細に調節設定することができる。さらに手摺構成材２の使用後の破損等による手摺構成材２の交換は、後向きブラケット１６の箇所から手摺構成材２を取外しまた取付けることによって容易に行うことができる。
【図面の簡単な説明】
【００１８】
【図１】改修後のベランダ手摺を示す斜視図である。
【図２】改修後のベランダ手摺を示す側面図である。
【図３】改修後のベランダ手摺における方立端部を示す横断面図である。
【図４】方立のベランダへの取付部品を示す分解斜視図である。
【図５】方立と後向きブラケットと手摺構成材を示す分解斜視図である。
【図６】後向きブラケットと笠木を装着した上側横架材との接続部を示す部分側面図である。
【図７】後向きブラケットと下側横架材との接続部を示す部分側面図である。
【図８】後向きブラケットとパネルを支持する上側横架材との接続部を示す部分側面図である。
【図９】上側横架材支持とは別の後向きブラケットと笠木支持横架材との接続部を示す部分側面図である。
【図１０】従来製品の方立設置個所の横断面図である。
【図１１】従来製品の方立設置個所の側面図である。
【符号の説明】
【００１９】
１  方立
２  手摺構成材
３  対向突縁付き凹溝
４  Ｌ字状金具
５  固定縁
８  当接縁
９  締着ボルト
１０  締着ボルト挿通溝孔
１１  凹凸溝面
１２  係着座金
１３  締着ボルト挿通孔
１４  対応凹凸溝面
１６  後向きブラケット
１６ａ  主片
１６ｂ  補助片
１７  止着ボルト
１８  止着ボルト挿通孔
１９  両フランジ
２０  接続ボルト挿通溝孔
２１  水平ウェブ
２２  接続ボルト挿通孔
２３  接続ボルト
２４ａ  上側横架材
２４ｂ  下側横架材
２４ｃ  笠木支持横架材
Ｖ  ベランダ
Ｒ  立上がり壁
Ｕ  上面
Ｗ  先端縦面
【図１】
2006152704.tif 000003
【図２】
2006152704.tif 000004
【図３】
2006152704.tif 000005
【図４】
2006152704.tif 000006
【図５】
2006152704.tif 000007
【図６】
2006152704.tif 000008
【図７】
2006152704.tif 000009
【図８】
2006152704.tif 000010
【図９】
2006152704.tif 000011
【図１０】
2006152704.tif 000012
【図１１】
2006152704.tif 000013